【手続補正書】
【提出日】平成22年4月1日(2010.4.1)
【手続補正１】
【補正対象書類名】特許請求の範囲
【補正対象項目名】請求項５
【補正方法】変更
【補正の内容】
【請求項５】
上記第２の転写部を被転写面から後退する際に、上記転写テープを上記巻取リールに巻き取る巻取機構を更に具備してなり、
上記巻取機構は、上記転写ヘッドの枢着部と同軸上に装着される扇形ギアと、この扇形ギアと噛合可能であって、上記供給リールの回転部と同軸上に装着される転写テープの引き出し方向のみに供給リールに回転を伝達する供給ギアと、この供給ギアと同軸上に装着される駆動ギアと、この駆動ギアに中間ギアを介して噛合され、上記巻取リールの回転部と同軸上に装着される従動ギアとからなる、ことを特徴とする請求項１ないし４のいずれかに記載の粘着転写具。
【手続補正２】
【補正対象書類名】明細書
【補正対象項目名】００１７
【補正方法】変更
【補正の内容】
【００１７】
また、この発明において、上記第２の転写部を被転写面から後退する際に、上記転写テープを上記巻取リールに巻き取る巻取機構を更に具備する方が好ましい。この場合、上記巻取機構は、上記転写ヘッドの枢着部と同軸上に装着される扇形ギアと、この扇形ギアと噛合可能であって、上記供給リールの回転部と同軸上に装着される転写テープの引き出し方向のみに供給リールに回転を伝達する供給ギアと、この供給ギアと同軸上に装着される駆動ギアと、この駆動ギアに中間ギアを介して噛合され、上記巻取リールの回転部と同軸上に装着される従動ギアとからなる構成とする方が好ましい（請求項５）。
【手続補正３】
【補正対象書類名】明細書
【補正対象項目名】００１８
【補正方法】変更
【補正の内容】
【００１８】
このように構成することにより、第２の転写部の転写面を被転写面に当接して押圧する際、転写ヘッドの回動に伴って扇形ギアが回動し、この扇形ギアが、供給リールの枢着部と同軸上に装着された供給ギアに噛合して、供給リールを回動しない状態で供給ギアを回動すると同時に、駆動ギアを回動し、中間ギアを介して巻取リールの回転部と同軸上に装着された従動ギアを回動することで、転写ヘッドと巻取リールとの間の転写テープを巻取リールに巻き取ることができる。
【手続補正４】
【補正対象書類名】明細書
【補正対象項目名】００２７
【補正方法】変更
【補正の内容】
【００２７】
（６）請求項６記載の発明によれば、スポット状転写の際に、転写ヘッドの回動に伴って回動する回動部材が可撓爪部材に間欠的に係合し、可撓爪部材が振動して音を発生することで、使用者は、第２の転写部の転写面の全域が被転写面に当接されたことを確認することができるので、上記（１）〜（５）に加えて、更にスポット状転写を確実に行うことができる。この場合、回動部材を、供給リールの枢着部と同軸上に装着される転写テープの引き出し方向のみに回転可能な供給ギアと噛合可能な扇形ギアによって形成することで、転写テープの巻取機構と確認音発生機構の構成部材の一部を共通して構成することができるので、構成部材の削減が図れると共に、粘着転写具を小型に形成することができる（請求項７）。
【手続補正５】
【補正対象書類名】明細書
【補正対象項目名】００３９
【補正方法】変更
【補正の内容】
【００３９】
上記巻取機構５０は、転写ヘッド４０の枢着部に装着される扇形ギア４１と、この扇形ギア４１に噛合可能であって、供給リール２０の回転部と同軸上に装着される、転写テープ１の引き出し方向のみに供給リール２０に回転を伝達する供給ギア５２と、この供給ギア５２と同軸上に装着される駆動ギア５１と、この駆動ギア５１に中間ギア５３を介して噛合され、巻取リール３０の回転部と同軸上に装着される従動ギア５４とで構成されている。
【手続補正６】
【補正対象書類名】明細書
【補正対象項目名】００４０
【補正方法】変更
【補正の内容】
【００４０】
このように構成される巻取機構５０によれば、第２の転写部４５ｂの転写面４５ｃを被転写面４に当接して押圧する際、転写ヘッド４０の回動に伴って扇形ギア４１が回動し、この扇形ギア４１が供給ギア５２に噛合して、供給リール２０を回動しない状態で供給ギア５２を回動すると同時に、駆動ギア５１を回動し、中間ギア５３を介して従動ギア５４を回動することで、転写ヘッド４０と巻取リール３０との間の転写テープ１を巻取リール３０に巻き取ることができる。したがって、スポット状転写のときに、ばね部材４６の付勢力に抗して転写ヘッド４０を揺動することによって生じる転写テープ１の弛みを防止することができる。
【手続補正７】
【補正対象書類名】明細書
【補正対象項目名】００４１
【補正方法】変更
【補正の内容】
【００４１】
なお、巻取機構５０を構成する扇形ギア４１，供給ギア５２，駆動ギア５１，中間ギア５３及び従動ギア５４は、それぞれ引張強度及び曲げ強度に優れた材質、例えばポリアセタール樹脂等の合成樹脂によって形成されている。
【手続補正８】
【補正対象書類名】明細書
【補正対象項目名】００５０
【補正方法】変更
【補正の内容】
【００５０】
なお、上記巻取機構５０と確認音発生機構６０を構成する扇形ギア４１，供給ギア５２，駆動ギア５１，中間ギア５３，従動ギア５４及び可撓爪部材６１を、ケース本体１１内に配設するには、予め仕切板１４に、これら扇形ギア４１，供給ギア５２，駆動ギア５１，中間ギア５３，従動ギア５４及び可撓爪部材６１を取り付けた後、ケース本体１１内に配設する。
【手続補正９】
【補正対象書類名】明細書
【補正対象項目名】００５１
【補正方法】変更
【補正の内容】
【００５１】
すなわち、図４及び図７に示すように、まず、駆動ギア５１に突設された回転筒部５１ａを貫挿する貫通孔１４ａと、従動ギア５４に突設された鍔付き回転筒部５４ａを貫挿する貫通孔１４ｂと、扇形ギア４１に突設された回転筒部４１ａを嵌挿する貫通孔１４ｃ及び扇形ギア４１に突設された円弧溝部４３を貫挿する円弧状孔１４ｄを有する仕切板１４を介して、この仕切板１４の一方の面(裏面)に、扇形ギア４１，供給ギア５２，駆動ギア５１，中間ギア５３，従動ギア５４及び可撓爪部材６１を配置し、他方の面(表面)に、カートリッジ８０によって回転可能に保持された転写テープ１を巻装した供給リール２０と巻取リール３０を配置する。
【手続補正１０】
【補正対象書類名】明細書
【補正対象項目名】００５２
【補正方法】変更
【補正の内容】
【００５２】
次に、仕切板１４と共に扇形ギア４１，供給ギア５２，駆動ギア５１，中間ギア５３，従動ギア５４及び可撓爪部材６１と、供給リール２０及び巻取リール３０を、ケース本体１１内に収容する。この際、仕切板１４の裏面側に突設された弾性変形可能な係止爪１４ｅをケース本体１１のベース部１２に突設された係止受け部１２ｃにスナップ嵌合して、仕切板１４をケース本体１１に固定する(図４参照)。そして、ケース本体１１の開口部１１ａにカバー体１５を被着て組み付けを終了し、使用に供することができる。
【手続補正１１】
【補正対象書類名】明細書
【補正対象項目名】００５４
【補正方法】変更
【補正の内容】
【００５４】
上記のように構成することにより、ケース１０の表裏面側を区画する不透明の仕切板１４によって、裏面側に扇形ギア４１，供給ギア５２，駆動ギア５１，中間ギア５３，従動ギア５４及び可撓爪部材６１を配置し、表面側に供給リール２０，巻取リール３０及び転写テープ１を配置することができる。したがって、透明性のケース１０の表面からは供給リール２０，巻取リール３０及び転写テープ１が目視でき、裏面側からは扇形ギア４１，供給ギア５２，駆動ギア５１，中間ギア５３，従動ギア５４及び可撓爪部材６１を目視することができる。
【手続補正１２】
【補正対象書類名】明細書
【補正対象項目名】００５５
【補正方法】変更
【補正の内容】
【００５５】
なお、転写テープ１を交換する場合は、図１０に示すように、新規の転写テープ１を巻装した供給リール２０と空の巻取リール３０をカートリッジ８０の保持爪８１，８２で固定し、この固定された供給リール２０と巻取リール３０を仮保持する交換用カートリッジ７０を用いて転写テープ１を交換する。
【手続補正１３】
【補正対象書類名】明細書
【補正対象項目名】００５６
【補正方法】変更
【補正の内容】
【００５６】
交換用カートリッジ７０は、例えばポリプロピレン等の合成樹脂製部材によって形成されている。この交換用カートリッジ７０は、図１１に示すように、巻取リール３０の巻取胴部３０ａの半分の領域を保持する円弧状帯片からなる第１の保持部７１と、この第１の保持部７１から外方に延在し、供給リール２０に巻装された転写テープ１の外周を保持する第２の保持部７２と、第１の保持部７１と第２の保持部７２の幅方向の一端から外方に折曲される折曲片７３と、折曲片７３における第１の保持部７１側の外方に延在する摘み片７４と、折曲片７３における摘み片７４の近傍に対峙して設けられる一対の係止片７５を具備している。この場合、第２の保持部７２は、第１の保持部７１の一端部から直状に延在する保持片７６と、第１の保持部７１の他端部から拡開方向に延在し、先端部が内方側に屈曲する屈曲保持片７７とで構成され、保持片７６と屈曲保持片７７とが相対的に接離方向に弾性変形することで、供給リール２０に巻装された転写テープ１の外周を保持する。
【手続補正１４】
【補正対象書類名】明細書
【補正対象項目名】００５７
【補正方法】変更
【補正の内容】
【００５７】
上記のように構成される交換用カートリッジ７０を用いて転写テープ１を交換するには、まず、両端に保持爪８１，８２を有するカートリッジ８０によって回転可能に保持された供給リール２０と巻取リール３０を交換用カートリッジ７０によって仮保持する。次に、図１１（ａ）に示すように、カバー体１５を開放した空のケース本体１１内に交換用カートリッジ７０と共に新規の転写テープ１を巻装した供給リール２０と巻取リール３０を収容する。この際、交換用カートリッジ７０に設けられた一対の係止片７５を、ケース本体１１の起立壁部１３に設けられたスリット１７に挿入する。そして、ケース本体１１の外方に突出する摘み片７４を引っ張って係止片７５をスリット１７から外方へ移動し交換用カートリッジ７０の仮保持状態を解き、交換用カートリッジ７０を外方へ取り出して転写テープ１の交換を完了する（図１１（ｂ）参照）。その後、カバー体１５を閉じて使用に供することができる。
【手続補正１５】
【補正対象書類名】明細書
【補正対象項目名】００６１
【補正方法】変更
【補正の内容】
【００６１】
また、転写ヘッド４０の回動に伴って扇形ギア４１が回動し、この扇形ギア４１が供給ギア５２に噛合して、供給リール２０を回動しない状態で供給ギア５２を回動すると同時に、駆動ギア５１を回動する。この駆動ギア５１の回動に伴って中間ギア５３を介して従動ギア５４が回動すると共に、巻取リール３０を巻き取り方向に回動する。これにより、巻取リール３０と転写ヘッド４０の自由端側との間の転写テープ１（具体的にはテープ基材２）が巻取リール３０に巻き取られて、ばね部材４６の付勢力に抗して転写ヘッド４０を揺動することによって生じる弛みが防止される。
【手続補正１６】
【補正対象書類名】明細書
【補正対象項目名】００６２
【補正方法】変更
【補正の内容】
【００６２】
次に、第２の転写部４５ｂを被転写面４から後退することで、転写テープ１の粘着剤３が被転写面４にスポット状に転写される（図８（ｃ）参照）。第２の転写部４５ｂを被転写面４から後退すると、ばね部材４６の付勢力によって転写ヘッド４０と扇形ギア４１が元の位置に回動し、扇形ギア４１が供給ギア５２に噛合して、供給リール２０を回動する一方、駆動ギア５１も回動し、駆動ギア５１の回動に伴って中間ギア５３を介して従動ギア５４が回動する。これにより、供給リール２０から転写テープ１が引き出されると共に、巻取リール３０に巻き取られ、転写ヘッド４０に未使用の転写テープ１がセットされる。
【手続補正１７】
【補正対象書類名】明細書
【補正対象項目名】００６４
【補正方法】変更
【補正の内容】
【００６４】
次に、第１の転写部４５ａを被転写面４に当接し、ばね部材４６の付勢力によって第１の転写部４５ａを被転写面４に押圧する（図９（ｂ）参照）。この状態で、粘着転写具を被転写面４に対して平行移動することで、第１の転写部４５ａが被転写面４上を移動して、転写テープ１の粘着剤３が被転写面４にライン状に転写される（図９（ｃ）参照）。このとき、粘着転写具の移動に伴って転写テープ１は供給リール２０から引き出され、供給リール２０が回動する。供給リール２０の回動に伴って駆動ギア５１が回動し、駆動ギア５１の回動に伴って中間ギア５３を介して従動ギア５４が回動して巻取リール３０が回動して転写テープ１（具体的にはテープ基材２）を巻き取る。
【手続補正１８】
【補正対象書類名】明細書
【補正対象項目名】００６８
【補正方法】変更
【補正の内容】
【００６８】
１  転写テープ
２  テープ基材
３  粘着剤
４  被転写面
１０  ケース
１１  ケース本体
１４  仕切板
１５  カバー体
２０  供給リール
３０  巻取リール
４０  転写ヘッド
４１  扇形ギア（回動部材）
４５ａ  第１の転写部
４５ｂ  第２の転写部
４５ｃ  転写面
４６  ばね部材
４８ｂ  転写ローラ
５０  巻取機構
５１  駆動ギア
５２  供給ギア
５３  中間ギア
５４  従動ギア
５５  クラッチ機構
５６  逆転防止機構
６０  確認音発生機構
６１  可撓爪部材
９０  クッション部材（板部材）
１０１  第１の滑りカバー部材
１０２  第２の滑りカバー部材
１０３  第３の滑りカバー部材
【手続補正１９】
【補正対象書類名】図面
【補正対象項目名】図２
【補正方法】変更
【補正の内容】
【図２】
2008279622.tif 000001
【手続補正２０】
【補正対象書類名】図面
【補正対象項目名】図３
【補正方法】変更
【補正の内容】
【図３】
2008279622.tif 000002
【手続補正２１】
【補正対象書類名】図面
【補正対象項目名】図４
【補正方法】変更
【補正の内容】
【図４】
2008279622.tif 000003
【手続補正２２】
【補正対象書類名】図面
【補正対象項目名】図７
【補正方法】変更
【補正の内容】
【図７】
2008279622.tif 000004
【手続補正２３】
【補正対象書類名】図面
【補正対象項目名】図１１
【補正方法】変更
【補正の内容】
【図１１】
2008279622.tif 000005